【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
前記特定遊技状態に制御するか否かを、前記識別情報の表示結果が導出表示される以前に決定する事前決定手段と、
該事前決定手段による決定に基づいて、前記識別情報の変動表示を実行する変動表示実行手段と、
前記事前決定手段による決定に基づいて、前記特定遊技状態に制御される可能性があることを報知する複数の予告演出のうちから実行する予告演出を決定する予告演出決定手段と、
該予告演出決定手段により決定された予告演出を実行する予告演出実行手段とを備え、
前記複数の予告演出には、前記特定表示結果を導出表示する条件と異なる達成条件を１回の前記変動表示の実行中において遊技者に提示し、前記事前決定手段によって前記特定遊技状態に制御しないと決定されている場合に当該変動表示の実行中において前記達成条件の提示後に前記達成条件を満たさない演出である条件非充足演出を行ない、前記事前決定手段によって前記特定遊技状態に制御すると決定されている場合に当該変動表示の実行中において前記達成条件の提示後に前記達成条件を満たす演出である条件充足演出を行なう特殊演出が含まれ、
前記予告演出決定手段は、
前記予告演出の態様に基づいて分類された複数種類の予告演出種別のうちいずれの予告演出種別に属する予告演出を実行するかを決定する予告種別決定手段と、
該予告種別決定手段により決定された予告演出種別に属する予告演出のうちから前記実行する予告演出を決定する予告決定手段とを含み、
前記複数の予告演出種別のうち一の予告演出種別は、前記特殊演出が属する予告演出種別であることを特徴とする、遊技機。
【請求項２】
前記複数の予告演出には、前記特殊演出とは同時に実行しない予告演出が含まれ、
前記予告種別決定手段は、予告演出種別を決定するときに、前記特殊演出が属する予告演出種別と、前記特殊演出とは同時に実行しない予告演出が属する予告演出種別とについて、排他的に予告演出種別を選択決定することを特徴とする、請求項１に記載の遊技機。
【請求項３】
前記予告種別決定手段により排他的に予告演出種別が選択決定される予告演出は、前記変動表示部において予告演出に用いられる表示領域の少なくとも一部、および、予告演出の実行タイミングの少なくとも一部が重複する予告演出であることを特徴とする、請求項２に記載の遊技機。
【請求項４】
前記変動表示実行手段は、所定条件が成立したときに、前記事前決定手段による決定に基づいて、前記識別情報の変動表示が開始されてから表示結果が導出表示されるまでに一旦非特定表示結果となる識別情報を仮停止させた後に変動表示を再度実行する再変動を１回または複数回実行する再変動表示を実行し、
前記予告演出決定手段は、前記予告決定手段により前記予告演出として前記特殊演出が決定されたときに、前記再変動表示において、再変動の回数が増えるにしたがって前記達成条件が変化する予告演出パターンで前記特殊演出を決定することを特徴する、請求項１から３のいずれかに記載の遊技機。
【請求項５】
前記変動表示実行手段は、所定条件が成立したときに、前記事前決定手段による決定に基づいて、前記識別情報の変動表示が開始されてから表示結果が導出表示されるまでに一旦非特定表示結果となる識別情報を仮停止させた後に変動表示を再度実行する再変動を１回または複数回実行する再変動表示を実行し、
前記予告演出決定手段は、前記予告決定手段により前記予告演出として前記特殊演出が決定されたときに、前記再変動表示において、前記再変動を実行するたびに前記条件非充足演出を実行するとともに、再変動の回数が増えるにしたがって前記条件非充足演出が前記条件充足演出に近づく予告演出パターンで前記特殊演出を決定することを特徴する、請求項１から３のいずれかに記載の遊技機。
【請求項６】
前記複数の予告演出には、前記特殊演出と同時に実行可能な予告演出が含まれ、
前記予告演出実行手段は、前記変動表示部において、前記特殊演出として表示される画像を、前記特殊演出と同時に実行可能な予告演出として表示される画像よりも優先して表示することを特徴とする、請求項１から５のいずれかに記載の遊技機。
【請求項７】
前記事前決定手段により前記特定遊技状態に制御しないと決定されたことに基づいて、前記識別情報の変動表示状態を所定のリーチ状態とするか否かを決定するリーチ決定手段と、
前記事前決定手段の決定結果、または、前記リーチ決定手段による決定結果の少なくとも一方に基づいて、前記識別情報の変動表示パターン種別を複数種類のいずれかに決定する変動表示パターン種別決定手段と、
前記変動表示パターン種別決定手段により決定された変動表示パターン種別に含まれる変動表示パターンの中から前記識別情報の変動表示パターンを決定する変動表示パターン決定手段とをさらに備え、
前記変動表示実行手段は、前記変動表示パターン決定手段による決定結果に基づいて、前記識別情報の変動表示を実行することを特徴とする、請求項１から６のいずれかに記載の遊技機。
【請求項８】
遊技媒体を用いて１ゲームに対して所定数の賭数を設定することによりゲームを開始させることが可能となり、各々を識別可能な複数種類の入賞用識別情報を変動表示させる入賞用変動表示部に表示結果が導出されることにより１ゲームが終了し、該入賞用変動表示部に導出された表示結果に応じて入賞が発生可能である遊技機であって、
前記入賞用変動表示部の表示結果が導出される前に、遊技者にとって有利な特定遊技状態への移行を伴う特定入賞を含む複数種類の入賞各々の発生を許容するか否かを決定する入賞用事前決定手段と、
前記入賞用事前決定手段の決定結果に応じて、前記入賞用変動表示部に表示結果を導出させる制御を行なう入賞用導出制御手段と、
前記特定入賞に対応する特定入賞表示結果が前記入賞用変動表示部に導出されたときに、前記特定遊技状態に制御する特定遊技状態制御手段と、
各々を識別可能な複数種類の演出用識別情報を変動表示する演出用変動表示部と、
前記演出用変動表示部における演出用識別情報の表示結果が予め定められた特殊表示結果となることによって、遊技者にとって有利な状態に移行する移行条件が成立していることを示唆する示唆演出手段と、
前記特殊表示結果とするか否かを、演出用識別情報の表示結果が導出表示される以前に決定する演出用事前決定手段と、
該演出用事前決定手段による決定に基づいて、前記演出用識別情報の変動表示を実行する変動表示実行手段と、
前記演出用事前決定手段による決定に基づいて、前記特定遊技状態に制御される可能性があることを報知する複数の予告演出のうちから実行する予告演出を決定する予告演出決定手段と、
該予告演出決定手段により決定された予告演出を実行する予告演出実行手段とを備え、
前記複数の予告演出には、前記特定入賞表示結果を導出表示する条件と異なる達成条件を１回の前記変動表示の実行中において遊技者に提示し、前記入賞用事前決定手段によって前記特定遊技状態に制御しないと決定されている場合に当該変動表示の実行中において前記達成条件の提示後に前記達成条件を満たさない演出である条件非充足演出を行ない、前記入賞用事前決定手段によって前記特定遊技状態に制御すると決定されている場合に当該変動表示の実行中において前記達成条件の提示後に前記達成条件を満たす演出である条件充足演出を行なう特殊演出が含まれ、
前記予告演出決定手段は、
前記予告演出の態様に基づいて分類された複数種類の予告演出種別のうちいずれの予告演出種別に属する予告演出を実行するかを決定する予告種別決定手段と、
該予告種別決定手段により決定された予告演出種別に属する予告演出のうちから前記実行する予告演出を決定する予告決定手段とを含み、
前記複数の予告演出種別のうち一の予告演出種別は、前記特殊演出が属する予告演出種別であることを特徴とする、遊技機。
【手続補正２】
【補正対象書類名】明細書
【補正対象項目名】００２３
【補正方法】変更
【補正の内容】
【００２３】
（８）  遊技媒体（メダル）を用いて１ゲームに対して所定数の賭数を設定することによりゲームを開始させることが可能となり、各々を識別可能な複数種類の入賞用識別情報（リール５０２Ｌ，５０２Ｃ，５０２Ｒに描かれた入賞用の図柄５００）を変動表示させる入賞用変動表示部に表示結果が導出されることにより１ゲームが終了し、該入賞用変動表示部（図柄表示装置５０００）に導出された表示結果に応じて入賞（小役、再遊技役、特別役等の入賞）が発生可能である遊技機（第２実施形態のスロットマシン５０１）であって、
前記入賞用変動表示部の表示結果が導出される前に、遊技者にとって有利な特定遊技状態への移行を伴う特定入賞（レギュラーボーナス、ビッグボーナス）を含む複数種類の入賞（小役、再遊技役、特別役等の入賞）各々の発生を許容するか否かを決定する入賞用事前決定手段（メイン制御部、入賞判定を行なう処理プログラム）と、
前記入賞用事前決定手段の決定結果に応じて、前記入賞用変動表示部に表示結果を導出させる制御を行なう入賞用導出制御手段（メイン制御部、リール５０２Ｌ，５０２Ｃ，５０２Ｒで表示結果を導出表示させる制御を行なう処理プログラム）と、
前記特定入賞に対応する特定入賞表示結果が前記入賞用変動表示部に導出されたときに、前記特定遊技状態に制御する特定遊技状態制御手段（メイン制御部、ボーナスの遊技状態に制御するプログラム）と、
各々を識別可能な複数種類の演出用識別情報を変動表示する演出用変動表示部（液晶表示器５５）と、
前記演出用変動表示部における演出用識別情報の表示結果が予め定められた特殊表示結果（レギュラーボーナスとなる表示結果、ビッグボーナスとなる表示結果）となることによって、遊技者にとって有利な状態（レギュラーボーナス、ビッグボーナス）に移行する移行条件が成立していること（内部抽選に当選してレギュラーボーナスまたはビッグボーナスの当選フラグがＲＡＭに設定されている状態）を示唆する示唆演出手段（液晶表示器５５１、可動役物５７５Ｌ，５７５Ｒ等）と、
前記特殊表示結果とするか否かを、演出用識別情報の表示結果が導出表示される以前に決定する演出用事前決定手段（サブ制御部、メイン制御部からの内部抽選結果コマンドに基づいて、レギュラーボーナスへの移行を許容するか否かと、ビッグボーナスへの移行を許可するか否かを判定し、特殊表示結果を決定するプログラム）と、
該演出用事前決定手段による決定に基づいて、前記演出用識別情報の変動表示を実行する変動表示実行手段（サブ制御部、第２実施形態において第１実施形態の図５０のＳ８０１〜Ｓ８０３に対応する処理プログラム）と、
前記演出用事前決定手段による決定に基づいて、前記特定遊技状態に制御される可能性があることを報知する複数の予告演出のうちから実行する予告演出を決定する予告演出決定手段（サブ制御部、第２実施形態において第１実施形態の図５０のＳ８０１〜Ｓ８０３に対応する処理プログラム）と、
該予告演出決定手段により決定された予告演出を実行する予告演出実行手段（サブ制御部、第２実施形態において第１実施形態の図５８のＳ５１８〜Ｓ５２１および図７９のＳ８４１〜Ｓ８４５に対応する処理プログラム）とを備え、
前記複数の予告演出には、前記特定入賞表示結果を導出表示する条件と異なる達成条件（ミッション達成条件）を１回の前記変動表示の実行中において遊技者に提示し、前記入賞用事前決定手段によって前記特定遊技状態に制御しないと決定されている場合に当該変動表示の実行中において前記達成条件の提示後に前記達成条件を満たさない演出である条件非充足演出（ミッション不達成演出）を行ない、前記入賞用事前決定手段によって前記特定遊技状態に制御すると決定されている場合に当該変動表示の実行中において前記達成条件の提示後に前記達成条件を満たす演出である条件充足演出（ミッション達成演出）を行なう特殊演出（１ゲームミッション演出）が含まれ（第２実施形態において第１実施形態の図５８のＳ５１８〜Ｓ５２１および図７９のＳ８４１〜Ｓ８４５に対応する処理プログラム）、
前記予告演出決定手段は、
前記予告演出の態様に基づいて分類された複数種類の予告演出種別（第２実施形態において第１実施形態の図６４に示す１ゲームミッション、ボタン予告、ステップアップ予告等の予告演出種別）のうちいずれの予告演出種別に属する予告演出を実行するかを決定する予告種別決定手段（サブ制御部、第２実施形態において第１実施形態の図６１のＳ６８１，Ｓ６８８に対応する処理プログラム）と、
該予告種別決定手段により決定された予告演出種別に属する予告演出（図６７〜図７２の予告パターン）のうちから前記実行する予告演出を決定する予告決定手段（サブ制御部、第２実施形態において第１実施形態の図６１のＳ６８９に対応する処理プログラム）とを含み、
前記複数の予告演出種別のうち一の予告演出種別は、前記特殊演出が属する予告演出種別である（図６４）。